(57)【要約】【課題】  庫内の収容物が燃焼又は爆発した場合に、燃焼圧や爆圧を上方向に容易に逃がすことができ、横方向への被害の拡大を未然に防止することができる防爆型危険物収納庫を提供する。【解決手段】  相対する位置に立設された４面の壁部３、４、５、６と、壁部の何れか１つに回動自在に取り付けられた第１の屋根板７と、第１の屋根板が取り付けられた壁部に対面する壁部に回動自在に取り付けられた第２の屋根板８と、からなり、前記第１の屋根板の折り曲げ部２５に、第２の屋根板の開放端縁部２６を係止させた。そして、屋根板の開閉に連動して、近傍に設けられた消火器の操作部を操作する吊下部材１１を設けた。吊下部材が上昇することによって、消火器の操作部を上方向に変位させ、消火器を作動させる。【選択図】 図１
0003114930.tif 000002
【実用新案登録請求の範囲】
【請求項１】
相対する位置に立設された４面の壁部と、該壁部の何れか１つに回動自在に取り付けられた第１の屋根板と、該第１の屋根板が取り付けられた壁部に対面する壁部に回動自在に取り付けられた第２の屋根板と、からなり、前記第１の屋根板の開放端縁部に、前記第２の屋根板の開放端縁部を係止させたことを特徴とする防爆型危険物収納庫。
【請求項２】
前記第１又は第２の屋根板のいずれか一方又は双方に、屋根板の開閉に連動して、屋根板の近傍に設けられた消火器の操作部を操作する消火器操作手段を設けたことを特徴とする請求項１に記載の防爆型危険物収納庫。
【請求項３】
前記消火器は、操作部を上方向に変位させることによって消火剤を噴出させる構成であって、
前記消火器操作手段は、前記第１の屋根板の開放端縁部から吊り下げられ、前記消火器の操作部を下から受ける受け部を有する吊下部材であることを特徴とする請求項２に記載の防爆型危険物収納庫。
【請求項４】
前記消火器は、操作部を下方向に変位させることによって消火剤を噴出させる構成であって、
前記消化器操作手段は、
前記第１の屋根板の開放端縁部から吊り下げられた吊下部材と、
該吊下部材が係止される係止部と、回転したときに前記消化器の操作部を押圧することとなる凸部と、を有するカム部材と、
を含んで構成されたことを特徴とする請求項２に記載の防爆型危険物収納庫。
【考案の詳細な説明】
【技術分野】
【０００１】
本考案は、有機溶剤容器やガスボンベ等、爆発の危険性を有する容器等を収納する屋外設置型の収納庫に関し、特に、爆発による横方向へ被害の拡大を最小限に防止することができる防爆型危険物収容庫に関する。
【背景技術】
【０００２】
爆発の危険性を有する危険物を収納する収納庫における防爆仕様については、庫内の温度上昇を防止することで気化を防止し、もって爆発を未然に防止するものと、万一爆発した場合に備え、横方向への被害の拡大を防止するものとがある。
【０００３】
後者の例としては、例えば、特許文献１に示すように、万一爆発したときに屋根板が爆風で容易に吹っ飛ぶように設計されたガスボンベ収納庫がある。このガスボンベ収納庫は、相対する位置に立設された４枚の壁板（前板、後板、一対の側板）と、屋根板とからなり、屋根板よりも外側に突出する突出片を有する天板を、屋根板と壁板を覆うように固定したものであり、前後方向に凸部と凹部が延びる波状の屋根板を使用することにより屋根板の強度を確保している。また、天板を収納庫に隣接する建物の外壁に固定したガスボンベ収納庫、切妻型の屋根にし、第１の屋根板と第２の屋根板の頂部に間隙を設け、その間隙を覆うように天板を固定したガスボンベ収納庫も開示されている。
【特許文献１】特開２０００−１３６８９９
【考案の開示】
【考案が解決しようとする課題】
【０００４】
しかしながら、特許文献１のガスボンベ収納庫では、庫内の収容物が爆発した際は、屋根板等が破砕して破片が吹き飛び、その破片によって怪我をする危険性がある。また、屋根板と壁板、又は屋根板同士が天板によって固定されているので、爆発の際に爆圧を上方向に逃がすことができず、横方向に被害が及ぶ危険性がある。そのため、側壁の構造を堅牢にする必要が生ずる。また、屋根板や壁板が吹っ飛んで破損するので、一回の爆発によって使用が不可能になる。
【０００５】
そこで、本考案は、庫内の収容物が燃焼又は爆発した場合に、燃焼圧や爆圧を上方向に容易に逃がすことができ、横方向への被害の拡大を未然に防止することができる防爆型危険物収納庫の提供を目的とする。
【課題を解決するための手段】
【０００６】
上記課題を解決するために、相対する位置に立設された４面の壁部と、該壁部の何れか１つに回動自在に取り付けられた第１の屋根板と、該第１の屋根板が取り付けられた壁部に対面する壁部に回動自在に取り付けられた第２の屋根板と、からなり、前記第１の屋根板の開放端縁部に、前記第２の屋根板の開放端縁部を係止させて防爆型危険物収納庫を構成した。
【０００７】
また、前記第１又は第２の屋根板のいずれか一方又は双方に、屋根板の開閉に連動して、屋根板の近傍に設けられた消火器の操作部を操作する消火器操作手段を設けてもよい。
また、前記消火器が、操作部を上方向に変位させることによって消火剤を噴出させる構成である場合において、前記消火器操作手段を、前記第１の屋根板の開放端縁部から吊り下げられ、前記消火器の操作部を下から受ける受け部を有する吊下部材として構成してもよい。
【０００８】
またさらに、前記消火器が、操作部を下方向に変位させることによって消火剤を噴出させる構成である場合において、前記消化器操作手段を、前記第１の屋根板の開放端縁部から吊り下げられた吊下部材と、該吊下部材が係止される係止部と回転したときに前記消化器の操作部を押圧することとなる凸部とを有するカム部材と、を含んで構成してもよい。
【考案の効果】
【０００９】
請求項1に係る考案によれば、壁部に回動自在に取り付けられた第１の屋根板と、第１の屋根板が取り付けられた壁部に対面する壁部に回動自在に取り付けられた第２の屋根板とによって、開閉自在な屋根を構成したので、庫内の収容物が万一燃焼又は爆発した場合に、燃焼圧又は爆圧で容易に屋根が開き、容易に燃焼圧又は爆圧を上方向に逃がすことができ、横方向への被害の発生を未然に防止できる。また、屋根が開閉するので、爆発によって屋根板等が破砕することがなく、吹き飛んだ破片による怪我を防止できる。また、破砕を防止するために屋根板や壁部の構造を堅牢にする必要がないので、製造コストを低減できる。さらに、庫内の爆発によって屋根板等が破損することがないので、長期間使用することができる。
【００１０】
請求項２に係る防爆型危険物収納庫によれば、第１又は第２の屋根板の何れか一方又は双方に、屋根板の開閉に連動して屋根板の近傍に設けられた消火器の操作部を操作する消火器操作手段を設けたので、開く屋根板と連動して、消火器を作動させることができる。これによって、発火と同時に消火剤を噴出させることができる。
【００１１】
請求項３に係る防爆型危険物収納庫によれば、第１の屋根板の開放端縁部に吊り下げられ、消火器の操作部を下から受ける受け部を有する吊下部材によって消火器操作手段を構成したので、庫内の燃焼圧又は爆圧によって屋根板が上方向に開くことによって吊下部材が上昇し、吊下部材の受け部によって、消化器の操作部を上方向に変位させることができる。これによって、簡易な装置によって、操作部を上方向に変位させることによって消火剤が噴出される構成の消火器を作動させることができる。
【００１２】
請求項４に係る防爆型危険物収納庫によれば、第１の屋根板の開放端縁部から吊り下げられた吊下部材と、吊下部材が係止される係止部と前記消化器の操作部を押圧する凸部とを有するカム部材とによって消化器操作手段を構成したので、庫内の燃焼圧又は爆圧によって屋根板が上方向に開くことによって、吊下部材が上昇し、カム部材が回転して、その凸部によって消火器の操作部を押圧する。これによって、簡易な装置によって、操作部を下方向に変位させることによって消火剤が噴出される構成の消火器を作動させることができる。
【考案を実施するための最良の形態】
【００１３】
以下、本考案の実施形態を図面に基づいて説明する。
図１は、本考案の第１実施形態に係る防爆型危険物収納庫１を示す斜視図である。この防爆型危険物収納庫１は、ガソリンやシンナーなどの有機溶剤の容器やガスボンベ等、爆発の危険性を有するものを収納する屋外設置型の収納庫であり、底部２に４つの壁部３、４、５、６を設けた本体部と、２枚の屋根板７、８と、からなり、１つの壁部５に消火器９を設置する消火器設置棚１０を設け、１つの屋根板７に消火器操作手段としての吊下部材１１を取り付けたものである。
【００１４】
防爆型危険物収納庫１の本体部は、平面視で四角形状の底部２の四隅に、図２（ａ）に示すように支柱１２を設け、その支柱１２の回りに壁板を設けたものである。
底板２の下方の四隅には、防爆型危険物収納庫１を設置面１６に据え付けるための土台１３が設けられている。土台１３のフランジ１４には、ボルト孔が開設されており、そのボルト孔にアンカーボルト１５を挿通することで、設置面１６に防爆型危険物収納庫１を固定できるようになっている。なお、軟らかい地盤に固定する場合は、図２（ｂ）に示すように、ボルト孔を設けた幅広の敷板１７を介して、設置面１６に据え付ければよい。この幅広の敷板１７は、長大な釘１８によって設置面１６に固定するようになっている。
【００１５】
支柱１２の回りに設けられた壁部３、４、５、６は、薄い鋼板からなる板部材であり、物品を搬出入するための扉１９を設けた前壁部３と、その相対する位置に配設された後壁部４と、一対の側壁部５、６とからなる。これらの壁部は、ネジ等の周知の締結手段によって、支柱１２に固定されている。
側壁部５、６の下部には、外気を還流させて庫内の温度上昇を防ぐために、換気孔２０が設けられている。また、何れか一方の側壁部５の内壁には、消火器９を設置するための消火器設置棚１０が設けられている。この消火器設置棚１０に設置される消火器９は、下側の操作レバー２１を上方向に引き上げることによって消火剤が噴出される構造のものであり、消火器設置棚１０の位置や大きさは、市販の消火器９に合わせて設計されている。消火器設置棚１０の上方には、消火器９を固定するための固定ベルト２２が取り付けられている。
【００１６】
防爆型危険物収納庫１の本体部の上方には、妻面を前側及び後側に向けた状態の切妻型の屋根板７、８が設けられている。詳しくは、図３に示すように、後壁部４の上端に、第１の屋根板７が回動支軸２３を介して軸着され、前壁部３の上端に、第２の屋根板８が回動支軸２４を介して軸着されている。それぞれの屋根板７、８の開放端縁部は、内側に向けて折り曲げられており、図１に示すように、第１の屋根板の折り曲げ部２５の上面に、第２の屋根板の折り曲げ部２６が係止されるように、それぞれの開放端縁部を重ね合わせている。
【００１７】
このような構成によって、防爆型危険物収納庫１の内部に収容された有機溶剤の容器やガスボンベが燃焼又は爆発した際に、その燃焼圧又は爆圧によって、屋根板７、８が容易に開閉される。このため、屋根板７、８の材質としては、軽量で剛性を有し、尚且つ耐火性を有する金属製の薄い板材が適し、特に波形板が好ましい。
【００１８】
第１の屋根板７の折り曲げ部２５の下面側には、図３に示すように、透孔２７を有する取付部２８が設けられており、その透孔２７に、消火器操作手段としての吊下部材１１が吊り下げられている。
この吊下部材１１は、紐や鎖２９の上端に、前記取付部２８の透孔２７に係止させるための係止部３０を設け、下端にリング３１を設けたものである。このリング３１は、消火器１０の上側及び下側の操作レバーを挿通させるのに十分な大きさであり、リング３１の下側の上面部３１ａにおいて、下側の操作レバー２１を下から受けている。
【００１９】
上記構成の防爆型危険物収納庫１の作用を説明する。
図１に示すように、市販の消火器９を側壁部５に設けたられた消火器設置棚１０に配置し、固定ベルト２２で固定する。そして、消火器９の操作レバー２１を吊下部材１１のリング３１の中に挿通させる。この際、図３に示すように、吊下部材１１のリング３１の下側の上面部３１ａが、消火器１０の下側の操作レバー２１に接近し、この操作レバー２１を下から受けることができるように、鎖や紐２９の長さが予め調節されている。
【００２０】
防爆型危険物収納庫１の内部で軽度の爆発が起こった場合、図４に示すように、その燃焼圧又は爆圧によって、第２の屋根板８が開放される。これによって、圧力を上方向に逃がすことができ、横方向に被害が及ぶのを未然に防止できる。
また、防爆型危険物収納庫１の内部で大規模な爆発が起こった場合は、図５に示すように、その爆圧によって、第２の屋根板８と第１の屋根板７が開放される。第１の屋根板７が開放されることによって、図６に示すように、その開放端部の折り曲げ部２５に設けられた吊下部材１１が図中Ａ方向に上昇し、吊下部材１１の下端部のリング３１に挿通されている操作レバー２１が上方向に引き上げられ、消火器９のノズル９ａから消火剤が噴出する。これによって、火災の発生を未然に防止することができる。
【００２１】
このように、屋根板７、８を回動自在に壁部３、４に取り付けたことによって、屋根板７、８の開閉により庫内の圧力を容易に上方に逃がすことができるようになるので、屋根板７、８や壁板３、４、５、６が吹き飛んだり、破砕したりする虞がなくなる。これによって、吹き飛んだ破片による怪我を防止できる。また、破砕を防止するために屋根板７、８や壁部３、４、５、６の構造を堅牢にする必要がないので、製造コストを低減できる。また、庫内の爆発によって防爆型危険物収納庫１が破損することがないので、爆発の度に防爆型危険物収納庫１を買い換える必要がない。さらに、吊下部材１１によって、防爆型危険物収納庫の庫内に設置された消火器を操作するので、火災の発生を未然に防止することができる。
【００２２】
なお、吊下部材１１は、消火器１０の操作レバー２１を上側に変位できるような受け部３０ａを有する構成であればよく、必ずしも下端部にリングを設けた構造である必要はない。
また、防爆型危険物収納庫１を小型化したい場合は、壁部３、４、５、６に扉を設けず、第２の屋根板８（吊下部材１１が設けられない側の屋根板）を開閉して、物の出し入れや庫内整理をするようにすればよい。
また、爆発の初期状態において消火器を作動させたい場合は、第２の屋根板８に消火器操作手段としての吊下部材１１を取り付けてもよい。
【００２３】
図７は、本考案の第２実施形態に係る防爆型危険物収納庫１’を示す部分斜視図である。この防爆型危険物収納庫１’は、操作部２１’を下方向に変位させることによって消火剤を噴出させる構成の消火器９’を使用している点、消火器９’を防爆型危険物収納庫１’の外部に設置し、側壁部５’に設けられた孔５０に貫入されたダクト５１を介して消火剤を庫内に噴出させている点、消火器操作手段５２の構成において、第１実施形態の防爆型危険物収納庫と相違する。
【００２４】
すなわち、消火器９’は、上側の操作レバー２１’を下方に変位させることによって、ダクト５１を介して消火剤を噴出させる構成である。この消火器９’は、防爆型危険物収納庫１’の側壁部５’の外壁に取り付けられた消火器設置棚１０’に載置されており、固定ベルト２２’によって胴部が固定されている。
【００２５】
第１の屋根板７’は、側壁部５’より若干外側に張り出した状態で、後壁部の上端部４’において蝶番結合されている。この第１の屋根板７’の折り曲げ部の張り出し部分５３に設けられた取付部材５４を介して、消化器操作手段５２が配設される。
消火器操作手段５２は、第１の屋根板７の張り出し部分５３から吊り下げられた吊下部材１１’と、側壁部５’から横方向に突設されたカム軸５５に回転自在に軸止されたカム部材５６とからなる。
【００２６】
吊下部材１１’は、下端部に縦長のリング３１’を設けた鎖２９’である。このリング３１’は、下側の受け部３１ａ’において、後述するカム部材５６の溝部５７に係止している。
カム部材５６は、正三角形状の厚板の中心に設けられた軸穴に、防爆型危険物収納庫１’の側壁部５’に設けられたカム軸５５を挿通させたものであり、１つの角部には、図８に示すように、中心部に向かって掘り下げられた溝部５７が設けられている。この溝部５７を有する角部が下側に位置するように、正三角形の底辺５９を水平方向に位置させた状態にカム部材５６を位置させることによって、この溝部５７によって吊下部材１１’が係止される係止部が構成される。カム部材５６の下側に位置する他の角部５８は、カム部材５６が回転したときに消化器９’の操作レバー２１’を押圧することとなる凸部となるものである。
【００２７】
カム部材５６は、常時、カム部材５６の溝部５７を消火器９’の操作レバー２１’の支点側に位置させて、底辺部５９が操作レバー２１’と平行になるようにして、操作レバー２１’に近接させた位置に配置されている。
爆発の際、第１の屋根板７’が開放され、屋根板の開放端縁部の張り出し部５３に設けられた吊下部材１１’が上昇することによって、溝部５７において吊下部材１１’のリング３１’を係止させていたカム部材５６が、図中Ｂ方向に回転する。これによって、図９に示すように、消火器９’の操作レバー２１’の作用点側に位置していた角部５８が、操作レバー２１’の上を摺動しながら押圧する。これによって、消火器９’が作動し、ダクト５１を介して消火剤が噴出される。
【００２８】
上記形状のカム部材５６は、操作レバー２１’を一度押すことによって消火剤が連続噴出する構造の消火器９’に適するものであるが、操作レバー２１’の押圧を解除することによって、消火剤の噴出が停止する構造の消火器の場合は、図１０に示すように、細長い、例えば直角三角形状のカム部材５６’を用いればよい。
最も尖った角部に溝部５７’を形成し、その溝部５７’に吊下部材１１’の下端部を係止させることによって、その溝部５７’の反対側の角部５８’が、カム部材５６’が回転した際に、消火器９’の操作レバーを押圧する。
【００２９】
この構造のカム部材５６’を用いることによって、防爆型危険物収納庫１’の内部で爆発が起こった場合は、図１１（ａ）に示すように、その爆圧によって第１の屋根板７’が開放し、張り出し部２５’に設けられた吊下部材１１’が上昇し、吊下部材１１’が係止されている溝部５７’が上向きになるようにカム部材５６’が回転し、角部５８’で操作レバー２１’を押圧する。これによって、消火器９’が作動し、消火剤が噴出する。
さらに、第１の屋根板７’が開放されると、図１１（ｂ）に示すように、吊下部材１１’が上昇してカム部材５６’の溝部５７’から離れ、溝部５７’が上を向いた状態で停止する。これによって、カム部材５６’の底辺部５９’において、操作レバーを押し続けるので、消火剤が連続的に噴出される。
【００３０】
本実施形態における防爆型危険物収納庫１’においても、屋根板を蝶番によって壁部に結合したことによって、屋根板の開閉により庫内の圧力を容易に上方に逃がすことができるようになるので、屋根板や壁板が吹き飛んだり、破砕したりする虞がなくなる。これによって、吹き飛んだ破砕片による怪我を防止できる。また、破砕を防止するために屋根板や壁部の構造を堅牢にする必要がないので、製造コストを低減できる。また、庫内の爆発によって破損することがないので、長く使用することができる。さらに、吊下部材１１’とカム部材５６とによって、防爆型危険物収納庫の近傍に設置された消火器を操作するので、火災の発生を未然に防止することができる。
【図面の簡単な説明】
【００３１】
【図１】本考案の第１実施形態に係る防爆型危険物収納庫を示す斜視図である。
【図２】上記防爆型危険物収納庫の底部及び土台を示す部分側面図であり、（ａ）は、硬い地盤の設置面に防爆型危険物収納庫を設置する場合を示し、（ｂ）は、軟かい地盤の設置面に防爆型危険物収納庫を設置する場合を示す。
【図３】上記防爆型危険物収納庫に吊下部材が配設される状態を示す部分断面図であり、（ａ）は、側壁部の方向から見た状態を示し、（ｂ）は、後壁部の方向から見た状態を示す。
【図４】上記防爆型危険物収納庫の第２の屋根板が開放された状態を示す斜視図である。
【図５】上記防爆型危険物収納庫の第２の屋根板と第１の屋根板とが開放された状態を示す斜視図である。
【図６】第１の屋根板が開放されたときの上記防爆型危険物収納庫の庫内を示す部分断面図であり、（ａ）は、側壁部の方向から見た状態を示し、（ｂ）は、後壁部の方向から見た状態を示す。
【図７】本考案の第２実施形態に係る防爆型危険物収納庫を示す部分斜視図である。
【図８】上記防爆型危険物収納庫に吊下部材とカム部材とが配設される状態を示す説明図であり、（ａ）は、側方から見た状態を示し、（ｂ）は、前方から見た状態を示す。
【図９】第１の屋根板が開放されたときの上記吊下部材とカム部材を示す説明図であり、（ａ）は、側方から見た状態を示し、（ｂ）は、前方から見た状態を示す。
【図１０】上記カム部材の変形例を示す説明図である。
【図１１】第１の屋根板が開放されたときの上記カム部材の状態を示す説明図であり、（ａ）は、屋根板が少し開いた場合を示し、（ｂ）は、屋根板が全開した場合を示す。
【符号の説明】
【００３２】
１、１’…防爆型危険物収納庫
２…底部
３、４、５、５’、６…壁部
７、７’…第１の屋根板
８…第２の屋根板
９、９’…消火器
１０、１０’…消火器設置棚
１１、１１’…吊下部材（消火器操作手段）
２１、２１’…操作レバー（操作部）
２５、２５’…折り曲げ部（第１の屋根板の開放端縁部）
２６…折り曲げ部（第２の屋根板の開放端縁部）
３１ａ、３１ａ’…リングの下側の上面部（受け部）
５６、５６’…カム部材
５７、５７’…溝部（係止部）
５８、５８’…角部（凸部）
【図１】
0003114930.tif 000003
【図２】
0003114930.tif 000004
【図３】
0003114930.tif 000005
【図４】
0003114930.tif 000006
【図５】
0003114930.tif 000007
【図６】
0003114930.tif 000008
【図７】
0003114930.tif 000009
【図８】
0003114930.tif 000010
【図９】
0003114930.tif 000011
【図１０】
0003114930.tif 000012
【図１１】
0003114930.tif 000013